(57)【要約】      （修正有）【課題】構成が簡単で外観もスマートで、且つ使い勝手のよい伸縮性結束バンドを提供する。【解決手段】一本の伸縮性のゴム紐１の中央部を折り返して２本合わせの紐となし、その紐を引き伸ばした状態で貫通可能な大きさの開口を有する位置決め部材２に貫通させて前記位置決め部材を任意の位置に摩擦固定すると共に前記伸縮性の紐の両端部に前記位置決め部材の抜け止め部３を設け、前記折り返し部分４には、硬化後にも可撓性を有する接着剤を浸透させた結束バンド。【選択図】図１
0003174996.tif 000002
【実用新案登録請求の範囲】
【請求項１】
一本の伸縮性のゴム紐の中央部を折り返して２本合わせの紐となし、その紐を引き伸ばした状態で貫通可能な大きさの開口を有する位置決め部材に貫通させて前記位置決め部材を任意の位置に摩擦固定すると共に前記伸縮性の紐の両端部に前記位置決め部材の抜け止め部を設け、前記折り返し部分には、硬化後にも可撓性を有する接着剤を浸透させた抜け止め部分を形成したことを特徴とする伸縮性結束バンド。
【考案の詳細な説明】
【技術分野】
【０００１】  この考案は、輪ゴムと呼ばれる家庭用ゴムバンドに代わる結束バンドに関するものである。
【背景技術】
【０００２】  通常、日用品の結束具として輪ゴムと呼ばれるゴムバンドが使用されており、結束する対象物の相違により複数本の輪ゴムを使用したり、一つの輪ゴムを二重、三重に巻き重ねて使用しているが、結束する対象物の大きさによっては結束したり、結束を解除したりするのが面倒である。そのため、特許文献１や特許文献２に見られるように両端をあわせて二つ折りにしたゴム紐をビーズ等の位置調節可能な位置決め部材に通し、結束対象物の大きさに合わせて作動長さを調整することができる伸縮性の結束バンドが提案されている。【０００３】  しかしながら、特許文献１のものでは、その図（図示せず）に見られるように位置決め部材であるビーズ２がゴム紐１の先端部から抜け落ちることがあり、一度抜け落ちたら元に戻すには特別な用具がなければ不可能である。そのために特許文献２のものでは、結束バンドである二本あわせのゴム紐１の環状部の両先端部、つまり折り返し部分と切断端部に抜け落ち防止用の結び目３や抜け落ち防止のリング３−ｅ（図示せず）等を形成して位置決め部材であるビーズ類２の抜け落ちを防止しているが、特別な抜け落ち防止部材を設けることは構造上、製造上複雑であり、複数の結び目を付けたり、ゴム紐の先端部に特別目立ち易い抜け落ち防止部材を設けることは従来の輪ゴムに比べて外観や使用上あまり好ましくない。
【先行技術文献】
【特許文献】
【０００４】
【特許文献１】登録実用新案第３０５５５５０号公報
【特許文献２】特許開２００３−１０４３９８号公報
【考案の概要】
【考案が解決しようとする課題】
【０００５】  この考案は、前記輪ゴムに代わる利便性の高い締め付け位置の調節が可能な伸縮性結束バンドの位置決め部材の抜け落ち防止手段を設けたもので、構成が簡単で外観もスマート且つ使い勝手のよい伸縮性結束バンドを提供しようとするものである。
【課題を解決するための手段】
【０００６】  この考案は、一本の伸縮性のゴム紐の中央部を折り返して二つ折りにした２本合わせの紐となし、その紐を引き伸ばした状態で貫通可能な大きさの開口を有する位置決め部材に貫通させて前記位置決め部材を任意の位置に摩擦固定すると共に前記伸縮性の紐の両端部に位置決め部材の抜け止め部を設け、前記折り返し部分には、硬化後にも可撓性を有する接着剤を浸透させた抜け止め部分を形成したことを特徴とする伸縮性結束バンドである。
【考案の効果】
【０００７】  この考案によれば、抜け落ち防止手段に接着剤を浸透させた抜け止め部を形成したことにより構成が簡単で外観もスマートで、且つ使い勝手のよい伸縮性結束バンドを提供する効果を有する。【０００８】
【図面の簡単な説明】
【０００９】
【図１】この考案の実施例の説明用全体図である。
【図２】この考案の作動説明図である。
【図３】この考案の作動説明図である。
【考案を実施するための形態】
【００１０】  以下、この考案の実施例を図に基づき説明するが、以下の説明において同一の機能を有する部材や部位、構成については同一の符号を付け、或いは説明を省略する場合がある。
【００１１】  １は伸縮性のゴム紐で、２は位置決め部材、３は後端部の抜け止め部、４は折り返し部で、５ａは接着剤を浸透させた先端部の抜け止め部である。
ゴム紐１は、通常「丸ゴム」と呼ばれる織糸で被覆された伸縮性ゴム紐（以下単に「ゴム紐」と言う）を使用する。そして、考案の結束バンドは、このゴム紐１を所定の長さに切断し、そのゴム紐の中央部を折り返して二つ折りにした２本合わせの紐状体とした物を引き伸ばした状態で、折り返し部４から位置決め部材２に設けられた貫通孔に貫通させた後、折り返し部４に接着剤浸透部５ａを構成することにより製作される。
前記位置決め部材２は、２本合わせのゴム紐の上で移動させ、ゴム紐と位置決め部材の貫通孔内面の摩擦抵抗により任意の位置に停止させ伸縮性ゴム紐で構成される輪ゴムの大きさを変更することができる。
【００１２】  また、位置決め部材２は、孔開きビーズを使用するのが好ましいが、特にビーズに限定する必要はなく、材料や形状大きさ等、必要と好みによって任意に選択できるものである。
後端部の抜け止め部３は、この実施例ではゴム紐の端部を２重片結びにして、その結び目により抜け止め部を構成しているが、この抜け止め部３は、特許文献１に使用しているような個別の飾金具や、その他の止め金具、接着剤や結合リング等、適当に周知の手段を用いてゴム紐の後端部が位置決め部材２から抜け出すのを防止できる手段であればよい。
【００１３】  紐の先端部の折り返し部に設けた抜け止め部５は、例えば木工用の接着用ボンド（登録商標）のような、乾けば透明又は半透明となって可撓性を保有するような接着剤を使用してゴム紐の被覆に浸透させた接着剤浸透部を構成したもので格別な付属品を使用していないので、外観も使い勝手もよい。
【００１４】  図２及び図３は、図１に記載された実施例の作動説明図で、図１の状態から後端部の抜け止め部３を摘んで位置決め部材２を図面上で左方向に引っ張り、図２で示すような任意の位置で止め、輪ゴムの大きさを変えることができる。
更に、左方向に無制限に引っ張ると、本来ならば位置決め部材２は、紐の折り返し部４から抜け落ちることになるが、この考案では折り返し部４には接着剤浸透部５ａが形成されているので、その部分が完全には折れ曲がらずに膨出し、図３のように先端部の抜け止め部５を形成して位置決め部材２が折り返し部４から抜け落ちることはない。
【００１５】  したがって、この考案の結束バンドは、輪ゴムに代わる利便性の高い締め付け位置の調節が可能な伸縮性結束バンドであって、位置決め部材の抜け落ち防止手段の構成が簡単で外観もスマートで、且つ使い勝手のよい伸縮性結束バンドを提供することができるのである。
【符号の説明】
【００１６】１・・ゴム紐
２・・位置決め部材        ３・・後端部の抜け止め部    ４・・折り返し部
５・・先端部の抜け止め部  ５ａ・接着剤浸透部
【図１】
0003174996.tif 000003
【図２】
0003174996.tif 000004
【図３】
0003174996.tif 000005
【手続補正書】
【提出日】平成24年2月15日(2012.2.15)
【手続補正１】
【補正対象書類名】明細書
【補正対象項目名】００１１
【補正方法】変更
【補正の内容】
【００１１】  １は伸縮性のゴム紐で、２は位置決め部材、３は後端部の抜け止め部、４は折り返し部で、５は接着剤を浸透させた先端部の抜け止め部である。
ゴム紐１は、通常「丸ゴム」と呼ばれる織糸で被覆された伸縮性ゴム紐（以下単に「ゴム紐」と言う）を使用する。そして、考案の結束バンドは、このゴム紐１を所定の長さに切断し、そのゴム紐の中央部を折り返して二つ折りにした２本合わせの紐状体とした物を引き伸ばした状態で、折り返し部４から位置決め部材２に設けられた貫通孔に貫通させた後、折り返し部４に接着剤浸透部５ａを構成することにより製作される。
前記位置決め部材２は、２本合わせのゴム紐の上で移動させ、ゴム紐と位置決め部材の貫通孔内面の摩擦抵抗により任意の位置に停止させ伸縮性ゴム紐で構成される輪ゴムの大きさを変更することができる。
【手続補正２】
【補正対象書類名】図面
【補正対象項目名】全図
【補正方法】変更
【補正の内容】
【図１】
0003174996.tif 000006